(57)【要約】【課題】低強度で柔らかいティシュペーパーの積層体と、当該積層体を収納するフィルムパックと、を備えるフェイシャルティシュ製品において、フィルムパックからのティシュペーパーの取出し性が良好であり、ティシュペーパーを取出す際に、次にポップアップしてフィルムパックのスリット（取出し口）に保持されるティシュペーパーの形状が安定し、ドロップバックの発生が良好に抑制された、コンパクトで携帯性に優れるフェイシャルティシュ製品を提供する。【解決手段】フィルムパックの各寸法、フィルムパックの厚み等の他に、ティシュペーパーの取出し方向Ｄに直交する方向の寸法（ＬＢ）に対する、スリット１４を形成可能な仮綴部１１の長手方向の寸法（ＰＬ）の比とフィルムパックの高さ（ＣＨ）に対する、ティシュペーパーの取出し方向Ｄに展開した寸法（ＬＡ）の比を調整する。【選択図】図２
2019141148.tif 000002
【特許請求の範囲】
【請求項１】
２プライのシートからなるティシュペーパーを、ポップアップ式に取出し可能に、かつ、取出し方向がＭＤ方向となるように、交互に積層してなる積層体と、前記積層体を収納するフィルムパックと、を備える略直方体のフェイシャルティシュ製品であって、
前記フィルムパックは、頂面に、前記ティシュペーパーを通過させて取出すためのスリットを形成可能な仮綴部を、前記頂面の長辺に略平行に有しており、
前記フィルムパックの長辺の寸法（ＣＬ）は１３０ｍｍ以上１８０ｍｍ以下であり、
前記フィルムパックの短辺の寸法（ＣＷ）は９５ｍｍ以上１３５ｍｍ以下であり、
前記フィルムパックの高さ（ＣＨ）は２０ｍｍ以上６０ｍｍ以下であり、
前記フィルムパックを構成するフィルムの厚さが、３０μｍ以上１５０μｍ以下であり、
前記ティシュペーパーのＪＩＳ  Ｐ  ８１１３に基づく乾燥時の縦方向の引張強さＤＭＤＴが、２２０ｇｆ／２５ｍｍ以上３８０ｇｆ／２５ｍｍ以下であり、
前記ティシュペーパーの取出し方向に直交する方向の寸法（ＬＢ）に対する、前記仮綴部の長手方向の寸法（ＰＬ）の比であるＰＬ／ＬＢが、０．２０以上０．７０以下であり、
前記フィルムパックの高さ（ＣＨ）に対する、前記ティシュペーパーの取出し方向に展開した寸法（ＬＡ）の比であるＬＡ／ＣＨが３．８以上１１．５以下である、フェイシャルティシュ製品。
【請求項２】
前記仮綴部の長手方向の寸法（ＰＬ）が、３０ｍｍ以上１０６ｍｍ以下である、請求項１に記載のフェイシャルティシュ製品。
【請求項３】
前記ティシュペーパーの取出し方向に展開した寸法（ＬＡ）が、１９０ｍｍ以上２７０ｍｍ以下であり、
前記ティシュペーパーの取出し方向に直交する方向の寸法（ＬＢ）が、１３０ｍｍ以上１８０ｍｍ以下である、請求項１又は２に記載のフェイシャルティシュ製品。
【請求項４】
前記ティシュペーパーのＪＩＳ  Ｐ  ８１１３に基づく乾燥時の横方向の引張強さＤＣＤＴが、６０ｇｆ／２５ｍｍ以上１３０ｇｆ／２５ｍｍ以下である、請求項１から３のいずれかに記載のフェイシャルティシュ製品。
【請求項５】
前記ティシュペーパーの１プライあたりの坪量は、１２．０ｇ／ｍ２以上２２．０ｇ／ｍ２以下であり、
前記ティシュペーパーの紙厚は、０．５０ｍｍ／１０プライ以上０．９０ｍｍ／１０プライ以下である、請求項１から４のいずれかに記載のフェイシャルティシュ製品。
【請求項６】
前記積層体を構成する前記ティシュペーパーの入り数は、６０組以上１８０組以下である、請求項１から５のいずれかに記載のフェイシャルティシュ製品。
【請求項７】
前記フィルムパックを構成するフィルムは、単層で形成され、前記フィルムの材質が梨地ポリエチレン、乳白ポリエチレン、直鎖状低密度ポリエチレン、無延伸ポリプロピレンから選択されるいずれか一種であり、前記フィルムパックは、キャラメル包装で形成される、請求項１から６のいずれかに記載のフェイシャルティシュ製品。
【請求項８】
前記フィルムパックを構成するフィルムは、複層で形成され、前記フィルムパックの最表層及び／又は最裏層における前記フィルムの材質が、梨地ポリエチレン、乳白ポリエチレン、直鎖状低密度ポリエチレン、無延伸ポリプロピレンから選択されるいずれか一種であり、前記フィルムパックは、キャラメル包装で形成される、請求項１から６のいずれかに記載のフェイシャルティシュ製品。
【発明の詳細な説明】
【技術分野】
【０００１】
本発明は、強度の低いティシュペーパーの積層体及び当該積層体を収納したフィルムパックを備える、フェイシャルティシュ製品に関する。
【背景技術】
【０００２】
従来、いわゆるポップアップ方式でティシュペーパーを折り畳んだ積層体を収納したティシュ製品において、当該積層体は紙製カートンに収納されることが多い。このような紙製カートンを用いたティシュ製品において、紙製カートン内にデッドスペースが発生することにより、輸送効率が低下し、また、紙製カートンが潰れやすいという問題があった。
【０００３】
そこで、紙製カートンではなく、フィルムパックにティシュペーパーの積層体を収納したティシュ製品の検討もなされている（例えば、特許文献１を参照）。紙製カートンではなく、フィルムパックに収納することにより、生産者の視点においては、軽量化やコンパクト化による輸送コストの削減、輸送時の箱潰れ防止等のメリットがあり、また、消費者においては、軽量化による商品購入後の携帯しやすさ、コンパクト化による家庭での保管スペースの削減等のメリットがある。なお、紙製カートンを用いたティシュ製品について、ティシュ製品自体のサイズを小さくする試みがなされている（例えば、特許文献２を参照）。
【先行技術文献】
【特許文献】
【０００４】
【特許文献１】特開２００８−１８３０３４号公報
【特許文献２】特開２００１−２８６４１４号公報
【発明の概要】
【発明が解決しようとする課題】
【０００５】
ところで、近年において、収納される衛生用紙については、ローションが塗布された低強度で柔らかいティシュペーパー等が好まれる傾向にある。しかしながら、このような低強度で柔らかいティシュペーパーをフィルムパックに収納した場合、フィルムパックからの取出し性が悪く、ティシュペーパーが破れやすいという問題があった。また、１組のティシュペーパーを取出す際に、次にポップアップして出てくる１組のティシュペーパーの形状が安定しづらいという問題があり、さらに、ドロップバック（ティシュペーパーがフィルムパックの中に落ちる現象）が起こりやすいという問題があった。
【０００６】
さらに、近年では、花粉症患者の増加により、ポケットティシュよりもティシュペーパーの入り数が多く、かつ、従来のティシュ製品よりもサイズの小さい、コンパクトで携帯性に優れる、フィルムパックに収容されたティシュ製品の需要が高まっている。上記の特許文献１のティシュ製品では、フィルムパックを用いているもののコンパクト化についての検討はなされておらず、また、上記の特許文献２は、あくまで紙製カートンを用いたティシュ製品について検討されたものであり、フィルムパックを用いたティシュ製品のコンパクト化についての検討はなされたものではなかった。すなわち、これまでに、低強度で柔らかいティシュペーパーの積層体をフィルムパックに収納したティシュ製品において、携帯性や上記したティシュペーパーの取出し性の問題についての検討が十分になされていなかった。
【０００７】
したがって、本発明は、このような事情に鑑みてなされたものであり、低強度で柔らかいティシュペーパーの積層体と、当該積層体を収納するフィルムパックと、を備えるフェイシャルティシュ製品において、フィルムパックからのティシュペーパーの取出し性が良好であり、ティシュペーパーを取出す際に、次にポップアップしてフィルムパックのスリット（取出し口）に保持されるティシュペーパーの形状が安定し、ドロップバックの発生が良好に抑制された、コンパクトで携帯性に優れるフェイシャルティシュ製品を提供することを目的とする。
【課題を解決するための手段】
【０００８】
本発明の発明者らは、上記課題に鑑み、鋭意研究を行った。その結果、フィルムパックの各寸法、フィルムパックの厚み等の他に、ティシュペーパーの取出し方向に直交する方向の寸法に対する、スリットを形成可能な仮綴部の長手方向の寸法の比とフィルムパックの高さに対する、ティシュペーパーの取出し方向に展開した寸法の比を調整することにより、上記課題を解決できることを見出し、本発明を完成するに至った。具体的には、本発明は以下のものを提供する。
【０００９】
（１）本発明の第１の態様は、２プライのシートからなるティシュペーパーを、ポップアップ式に取出し可能に、かつ、取出し方向がＭＤ方向となるように、交互に積層してなる積層体と、前記積層体を収納するフィルムパックと、を備える略直方体のフェイシャルティシュ製品であって、前記フィルムパックは、頂面に、前記ティシュペーパーを通過させて取出すためのスリットを形成可能な仮綴部を、前記頂面の長辺に略平行に有しており、前記フィルムパックの長辺の寸法（ＣＬ）は１３０ｍｍ以上１８０ｍｍ以下であり、前記フィルムパックの短辺の寸法（ＣＷ）は９５ｍｍ以上１３５ｍｍ以下であり、前記フィルムパックの高さ（ＣＨ）は２０ｍｍ以上６０ｍｍ以下であり、前記フィルムパックを構成するフィルムの厚さが、３０μｍ以上１５０μｍ以下であり、前記ティシュペーパーのＪＩＳ  Ｐ  ８１１３に基づく乾燥時の縦方向の引張強さＤＭＤＴが、２２０ｇｆ／２５ｍｍ以上３８０ｇｆ／２５ｍｍ以下であり、前記ティシュペーパーの取出し方向に直交する方向の寸法（ＬＢ）に対する、前記仮綴部の長手方向の寸法（ＰＬ）の比であるＰＬ／ＬＢが、０．２０以上０．７０以下であり、前記フィルムパックの高さ（ＣＨ）に対する、前記ティシュペーパーの取出し方向に展開した寸法（ＬＡ）の比であるＬＡ／ＣＨが３．８以上１１．５以下である、フェイシャルティシュ製品である。
【００１０】
（２）本発明の第２の態様は、（１）に記載のフェイシャルティシュ製品であって、前記仮綴部の長手方向の寸法（ＰＬ）が、３０ｍｍ以上１０６ｍｍ以下であることを特徴とするものである。
【００１１】
（３）本発明の第３の態様は、（１）又は（２）に記載のフェイシャルティシュ製品であって、前記ティシュペーパーの取出し方向に展開した寸法（ＬＡ）が、１９０ｍｍ以上２７０ｍｍ以下であり、前記ティシュペーパーの取出し方向に直交する方向の寸法（ＬＢ）が、１３０ｍｍ以上１８０ｍｍ以下であることを特徴とするものである。
【００１２】
（４）本発明の第４の態様は、（１）から（３）のいずれかに記載のフェイシャルティシュ製品であって、前記ティシュペーパーのＪＩＳ  Ｐ  ８１１３に基づく乾燥時の横方向の引張強さＤＣＤＴが、６０ｇｆ／２５ｍｍ以上１３０ｇｆ／２５ｍｍ以下であることを特徴とするものである。
【００１３】
（５）本発明の第５の態様は、（１）から（４）のいずれかに記載のフェイシャルティシュ製品であって、前記ティシュペーパーの１プライあたりの坪量は、１２．０ｇ／ｍ２以上２２．０ｇ／ｍ２以下であり、前記ティシュペーパーの紙厚は、０．５０ｍｍ／１０プライ以上０．９０ｍｍ／１０プライ以下であることを特徴とするものである。
【００１４】
（６）本発明の第６の態様は、（１）から（５）のいずれかに記載のフェイシャルティシュ製品であって、前記積層体を構成する前記ティシュペーパーの入り数は、６０組以上１８０組以下であることを特徴とするものである。
【００１５】
（７）本発明の第７の態様は、（１）から（６）のいずれかに記載のフェイシャルティシュ製品であって、前記フィルムパックを構成するフィルムは、単層で形成され、前記フィルムの材質が梨地ポリエチレン、乳白ポリエチレン、直鎖状低密度ポリエチレン、無延伸ポリプロピレンから選択されるいずれか一種であり、前記フィルムパックは、キャラメル包装で形成されることを特徴とするものである。
【００１６】
（８）本発明の第８の態様は、（１）から（６）のいずれかに記載のフェイシャルティシュ製品であって、前記フィルムパックを構成するフィルムは、複層で形成され、前記フィルムパックの最表層及び／又は最裏層における前記フィルムの材質が、梨地ポリエチレン、乳白ポリエチレン、直鎖状低密度ポリエチレン、無延伸ポリプロピレンから選択されるいずれか一種であり、前記フィルムパックは、キャラメル包装で形成されることを特徴とするものである。
【発明の効果】
【００１７】
本発明によれば、低強度で柔らかいティシュペーパーの積層体と、当該積層体を収納するフィルムパックと、を備えるフェイシャルティシュ製品において、フィルムパックからのティシュペーパーの取出し性が良好であり、ティシュペーパーを取出す際に、次にポップアップしてフィルムパックのスリット（取出し口）に保持されるティシュペーパーの形状が安定し、ドロップバックの発生が良好に抑制された、コンパクトで携帯性に優れるフェイシャルティシュ製品を提供することができる。
【図面の簡単な説明】
【００１８】
【図１】仮綴部を開封する前の本発明のフェイシャルティシュ製品を示す斜視図である。
【図２】仮綴部を開封した後の本発明のフェイシャルティシュ製品を示す斜視図である。
【図３】ティシュペーパーの取出し方向に展開した長さ（ティシュペーパーを広げた長さ）を測定する方法を示す図面である。
【発明を実施するための形態】
【００１９】
以下、添付図面を参照して、本発明を実施するための形態（以下、実施形態）について詳細に説明する。なお、実施形態の説明の全体を通して同じ要素には同じ符号を付する。図１は、仮綴部１１を開封する前の本発明のフェイシャルティシュ製品１００を示す斜視図であり、図２は、仮綴部１１を開封した後の本発明のフェイシャルティシュ製品１００を示す斜視図である。本実施形態におけるフェイシャルティシュ製品１００は略直方体であり、図２に示すように、２プライのシートからなるティシュペーパー２ａ、２ｂ・・・をポップアップ式に取出し可能に交互に積層してなる積層体２０と、積層体２０を収納するフィルムパック１０を備える。
【００２０】
図１に示すように、積層体２０を収納した状態において、フィルムパック１０は、長辺、短辺、及び高さ方向の辺からなる略直方体の形状を有している。さらに、フィルムパック１０は、長辺と短辺で構成された頂面１０ａに、スリット１４を形成可能な仮綴部１１を、頂面１０ａの長辺に略平行に有する。使用者は、仮綴部１１を開封することによりスリット１４を形成し、図２に示すようにティシュペーパー２ａ、２ｂ・・・をスリット１４を通過させて取出すことができる。
【００２１】
＜ティシュペーパー及び積層体＞
本実施形態において収納されたティシュペーパーは、２プライのシートから構成され、原紙にカレンダー処理がなされたものである。ティシュペーパーは、図１及び図２に示すように、ティシュペーパー２ａ、２ｂ・・・をポップアップ式に取出し可能に、かつ、取出し方向がＭＤ方向となるように、交互に積層してなる積層体２０としてフィルムパック１０に収納される。なお、本実施形態では、各ティシュペーパー２ａ、２ｂ・・・は中央でＶ折りされて折り目２ａｆを有し、それぞれの側端部が掛け合わされながら交互に積層され、ポップアップ式に取出し可能なティシュペーパー積層体を構成しているが、ポップアップ式に取出し可能であれば他の公知の折り方（例えばＺ折り）であってもよい。積層体２０としてフィルムパック１０に収納される際には、折り目２ａｆがフィルムパック１０の長辺に略平行となるように収納される。
【００２２】
また、本発明のフェイシャルティシュ製品１００において、ティシュぺーパーにはローション薬液が塗工されなくてもよいし、塗工されてもよいが、原紙質量に対して、グリセリン、ソルビトール等を含むローション薬液を、５％以上４０％以下の範囲で塗工することが好ましい。上記の範囲でローション薬液を塗工することにより、ティシュペーパーが柔らかく、滑らかになり、フィルムパック１０からのティシュペーパーの取出し性が良好となる。
【００２３】
（ＤＭＤＴとＤＣＤＴ）
２プライに積層したシートからなるティシュペーパーのＪＩＳ  Ｐ  ８１１３に基づく乾燥時の縦方向の引張強さをＤＭＤＴ（Ｄｒｙ  Ｍａｃｈｉｎｅ  Ｄｉｒｅｃｔｉｏｎ  Ｔｅｎｓｉｌｅ  ｓｔｒｅｎｇｔｈ）としたとき、ＤＭＤＴが２２０ｇｆ／２５ｍｍ以上３８０ｇｆ／２５ｍｍ以下である。ここで、ティシュペーパーの抄紙の流れ方向を「縦方向」としており、ティシュペーパーの取出し方向が縦方向となる。ＤＭＤＴの数値が大きいほど、スリット１４に保持されるティシュペーパーの形状を安定させることができるが、ＤＭＤＴの数値が大きすぎると、硬くなりすぎてしまい、柔らかな肌触りを実現できなくなる。本発明においては、ＤＭＤＴを上記の範囲とすることにより、低強度で柔らかでありながら、フィルムパック１０からのティシュペーパーの取出し性が良好であり、ティシュペーパーを取出す際に、次にポップアップしてスリット１４に保持されるティシュペーパーの形状を安定させることができる。ＤＭＤＴは、２５０ｇｆ／２５ｍｍ以上３６０ｇｆ／２５ｍｍ以下であることが好ましく、２８０ｇｆ／２５ｍｍ以上３４０ｇｆ／２５ｍｍ以下であることがより好ましい。
【００２４】
また、２プライに積層したシートからなるティシュペーパーのＪＩＳ  Ｐ  ８１１３に基づく乾燥時の横方向の引張強さをＤＣＤＴ（Ｄｒｙ  Ｃｒｏｓｓ  Ｄｉｒｅｃｔｉｏｎ  Ｔｅｎｓｉｌｅ  ｓｔｒｅｎｇｔｈ）としたとき、ＤＣＤＴが、６０ｇｆ／２５ｍｍ以上１３０ｇｆ／２５ｍｍ以下であることが好ましく、７０ｇｆ／２５ｍｍ以上１２０ｇｆ／２５ｍｍ以下であることがより好ましく、８０ｇｆ／２５ｍｍ以上１１０ｇｆ／２５ｍｍ以下であることが更に好ましい。ここで、流れ方向に直角な方向を「横方向」としている。ＤＣＤＴを上記の範囲に調整することにより、低強度で柔らかなティシュペーパーを得ることができる。なお、ＤＭＤＴ及びＤＣＤＴの引張強さの測定は、引張速度３００ｍｍ／ｍｉｎの条件で行う。また、引張強さは、公知の方法で調整することができる。
【００２５】
（ティシュペーパーの寸法・入り数）
本発明においては、フィルムパック１０からのティシュペーパーの取出し性が良好であり、ティシュペーパーを取出す際に、次にポップアップしてスリット１４に保持されるティシュペーパーの形状が安定し、ドロップバックの発生が良好に抑制された、コンパクトで携帯性に優れるフェイシャルティシュ製品１００を提供するために、図１及び図２に示すように、ティシュペーパーの取出し方向に直交する方向の寸法（ＬＢ）に対する、スリット１４を形成可能な仮綴部１１の長手方向の寸法（ＰＬ）の比とフィルムパック１０の高さ（ＣＨ）に対する、ティシュペーパーの取出し方向に展開した寸法（ＬＡ）の比を調整している。ここで、スリット１４からティシュペーパー２ａ、２ｂ・・・を取出す方向をＤとする。図２の場合、上下方向が取出し方向Ｄとなる。スリット１４の長手方向は、ティシュペーパー２ａの取出し方向Ｄに直交する方向に沿っている。
【００２６】
本発明において、ティシュペーパーの取出し方向に直交する方向の寸法（ＬＢ）に対する、スリット１４を形成可能な仮綴部１１の長手方向の寸法（ＰＬ）の比である、ＰＬ／ＬＢが０．２０以上０．７０以下であり、フィルムパック１０の高さ（ＣＨ）に対する、ティシュペーパーの取出し方向に展開した寸法（ＬＡ）の比であるＬＡ／ＣＨが３．８以上１１．５以下である。
【００２７】
ここで、ＰＬ／ＬＢについては、数値が小さいほど、保持されたティシュペーパーのスリット１４近傍部分が締まる傾向にあるため、ティシュペーパーが立ちやすくなり、かつ、ドロップバックも起こりづらくなるが、小さすぎるとティシュペーパーが取出しづらくなり、場合によっては、ティシュペーパーが破けてしまう場合もある。このため、本発明においては、ＰＬ／ＬＢを上記の範囲に調整している。
【００２８】
また、ＬＡ／ＣＨについては、その数値が大きすぎると、ティシュペーパーがスリット１４に保持される際に、保持されたティシュペーパーの、スリット１４より上方部分の取出し方向の寸法が大きくなりすぎてしまい、保持されたティッシペーパーが倒れやすくなり、形状安定性を損なう場合がある。また、ＬＡ／ＣＨの数値が小さすぎると、使用が進むについて、フィルムパック１０内部の空間が大きくなりすぎてしまい、ドロップバックが発生しやすくなる。このため、本発明においては、ＬＡ／ＣＨを上記の範囲に調整している。
【００２９】
以上のことから、本発明においては、ＰＬ／ＬＢ及びＬＡ／ＣＨを上記の範囲に調整することにより、ティシュペーパーの取出し性が向上し、ティシュペーパーを取出す際に、次にポップアップしてフィルムパック１０のスリット１４に保持されるティシュペーパーの形状が安定し、ドロップバックの発生を良好に抑制することができる。また、ＰＬ／ＬＢが０．３０以上０．６０以下、ＬＡ／ＣＨが４．６以上９．２以下であることが好ましく、ＰＬ／ＬＢが０．４０以上０．５０以下、ＬＡ／ＣＨが５．７以上７．６以下であることがより好ましい。
【００３０】
なお、寸法（ＬＡ）は、図３に示すように、ポップアップしたティシュペーパー２ａを取り出し方向Ｄに展開して平板２００上に載置し、取出し方向Ｄに直交する方向の一辺２ａ１を粘着テープ２０２等で固定する。そして、対辺２ａ２をわずかに引張り、ティシュペーパー２ａの折り目２ａｆの凸部が潰れてほぼ平らになるときの長さとする。
【００３１】
ティシュペーパーの取出し方向に展開した寸法（ＬＡ）が、１９０ｍｍ以上２７０ｍｍ以下、ティシュペーパーの取出し方向に直交する方向の寸法（ＬＢ）が、１３０ｍｍ以上１８０ｍｍ以下、であることが好ましい。ＬＡとＬＢの数値を上記の範囲に調整することにより、コンパクトで携帯性に優れ、かつ、縦横の長さのバランスが良くなることで使用時に安心感、満足感のあるフェイシャルティシュ製品１００に適した積層体２０を得ることができる。ＬＡが２０５ｍｍ以上２５５ｍｍ以下、ＬＢが１３５ｍｍ以上１７５ｍｍ以下、であることがより好ましく、ＬＡが２２０ｍｍ以上２４０ｍｍ以下、ＬＢは１４５ｍｍ以上１６５ｍｍ以下、であることが更に好ましい。
【００３２】
積層体２０を構成するティシュペーパー（２プライに積層されたシート）の入り数は、６０組以上１８０組以下であることが好ましく、８０組以上１６０組以下であることがより好ましく、９０組以上１３０組以下であることが更に好ましい。ティシュペーパーの入り数を上記の範囲に調整することにより、フェイシャルティシュ製品１００の保型性を良くし、コンパクトタイプではありながら、フェイシャルティシュ製品１００の交換頻度を低くすることができる。
【００３３】
（ティシュペーパー原料）
ティシュペーパーを構成する２プライのシートは、パルプを主成分とするものであり、好ましくは、５０質量％以上のパルプを含有する。ティシュペーパーの製造に使用できるパルプとしては、木材パルプ、古紙パルプ、非木材パルプが挙げられるが、本実施形態のティシュペーパーは、パルプとして木材パルプ１００％から成るものであってもよく、木材パルプの他に、古紙パルプや非木材パルプを含んでいてもよい。パルプ以外の成分としては、填料、合成繊維、天然繊維等を挙げることができる。目標とする品質を得るためには、針葉樹晒クラフトパルプ（ＮＢＫＰ）２０質量％以上５０質量％以下と広葉樹晒クラフトパルプ（ＬＢＫＰ）５０質量％以上８０質量％以下とからなる木材パルプを原料とすることが好ましく、ＮＢＫＰ：２５質量％以上４５質量％以下と、ＬＢＫＰ：５５質量％以上７５質量％以下とからなる木材パルプを原料とすることがより好ましい。
【００３４】
（紙厚、坪量）
本実施形態のティシュペーパーにおける、紙厚は、０．５０ｍｍ／１０プライ以上０．９０ｍｍ／１０プライ以下であることが好ましく、０．６０ｍｍ／１０プライ以上０．８０ｍｍ／１０プライ以下であることがより好ましく、０．６５ｍｍ／１０プライ以上０．７５ｍｍ／１０プライ以下であることが更に好ましい。なお、上記の紙厚は、１プライのシートを１０枚重ねたときの紙厚を示す。また、本実施形態のティシュペーパーにおける、１プライあたりの坪量は、１２．０ｇ／ｍ２以上２２．０ｇ／ｍ２以下であることが好ましく、１３．５ｇ／ｍ２以上２０．５ｇ／ｍ２以下であることがより好ましく、１５．０ｇ／ｍ２以上１９．０ｇ／ｍ２以下であることが更に好ましい。ティシュペーパーの紙厚や１プライあたりの坪量を上記の範囲内のものとすることにより、柔らかさとボリューム感とが両立可能なものとなる。
【００３５】
＜フィルムパック＞
本実施形態のティシュペーパーの積層体２０は、頂面１０ａに、スリット１４を形成可能な仮綴部１１を、頂面１０ａの長辺に略平行に有する、フィルムパック１０に収納される。フィルムパック１０は、積層体２０を収納した状態において略直方体の形状を有している。
【００３６】
（フィルムパックの包装形態）
フィルムパック１０の包装形態は公知の方法を用い、特に限定されないが、ピロー包装、又はキャラメル包装、又はガゼット包装を用いることが好ましく、美粧性を持たせる観点から、図１及び図２に示すようにキャラメル包装を用いることがより好ましい。
【００３７】
フィルムパック１０を構成するフィルムは、単層で形成されてもよく複層で形成されてもよい。フィルムの材質は特に限定されないが、単層で形成される場合、フィルムの材質が梨地ポリエチレン、乳白ポリエチレン、直鎖状低密度ポリエチレン、無延伸ポリプロピレンから選択されるいずれか一種であることが好ましく、フィルムパック１０を構成するフィルムが複層で形成される場合、フィルムパック１０の最表層及び／又は最裏層におけるフィルムの材質が、梨地ポリエチレン、乳白ポリエチレン、直鎖状低密度ポリエチレン、無延伸ポリプロピレンから選択されるいずれか一種であることが好ましい。フィルムパック１０を構成するフィルムの材質を上記の材質にすることにより、美粧性を向上させることができる。
【００３８】
（フィルムパックの寸法）
フィルムパック１０の長辺の寸法（ＣＬ）は１３０ｍｍ以上１８０ｍｍ以下であり、フィルムパック１０の短辺の寸法（ＣＷ）は９５ｍｍ以上１３５ｍｍ以下であり、フィルムパック１０の高さ（ＣＨ）は２０ｍｍ以上６０ｍｍ以下である。フィルムパック１０の、長辺の寸法（ＣＬ）、短辺の寸法（ＣＷ）及び高さ（ＣＨ）を上記の範囲に調整することにより、フィルムパック１０の美粧性及び保型性が良好で、かつ、コンパクトで携帯性に優れるフェイシャルティシュ製品１００を得ることができる。また、フィルムパック１０の、長辺の寸法（ＣＬ）は１３５ｍｍ以上１７５ｍｍ以下、短辺の寸法（ＣＷ）は１０２ｍｍ以上１２８ｍｍ以下、高さ（ＣＨ）は２５ｍｍ以上５０ｍｍ以下であることが好ましく、フィルムパック１０の、長辺の寸法（ＣＬ）は１４５ｍｍ以上１６５ｍｍ以下、短辺の寸法（ＣＷ）は１１０ｍｍ以上１２０ｍｍ以下、高さ（ＣＨ）は３０ｍｍ以上４０ｍｍ以下であることが更に好ましい。
【００３９】
（フィルムパックのフィルムの厚さ）
フィルムパック１０に使用されるフィルムの厚さは、３０μｍ以上１５０μｍ以下であることが好ましく、５０μｍ以上１３０μｍ以下であることがより好ましく、７０μｍ以上１１０μｍ以下であることが更に好ましい。フィルムの厚さを上記の範囲に調整することにより、輸送時に必要なフィルムの強度を確保することができるとともに、フィルムパック１０の良好な手触りを維持することができる。
【００４０】
（仮綴部とスリット）
図２に示すように、フィルムパック１０は、頂面１０ａに、ティシュペーパーを通過させて取出すためのスリット１４を形成可能な仮綴部１１を、頂面１０ａの長辺に略平行に有している。使用者は、仮綴部１１を開封することによりスリット１４が形成し、ティシュペーパー２ａ、２ｂ・・・をスリット１４を通過させて取出すことができる。仮綴部１１は、フィルムパック１０の短辺方向の略中心に設けられ、かつ、仮綴部１１の長辺方向の一方端部と頂面１０ａの長辺方向の一方端部の離間距離と、仮綴部１１の長辺方向の他方端部と頂面１０ａの長辺方向の他方端部との離間距離と、が略同一であることが好ましい。なお、仮綴部１１を開封した後に形成されるスリット１４の端部を裂けにくくするために、仮綴部１１は、製造工程におけるフィルムの流れ方向（成型後のフィルムパックの短辺方向）に対して垂直に入れることが好ましい。
【００４１】
仮綴部１１は、図１に示すように、ミシン目１２と非カット部１３が交互に配列されることにより形成される。なお、仮綴部１１の両端部は、ミシン目１２で構成される。仮綴部１１の長手方向の寸法（ＰＬ）が、３０ｍｍ以上１０６ｍｍ以下であることが好ましく、４０ｍｍ以上９５ｍｍ以下であることがより好ましく、５５ｍｍ以上８０ｍｍ以下であることが更に好ましい。仮綴部１１の長手方向の寸法（ＰＬ）は、仮綴部１１を開封することにより形成されるスリット１４の長手方向の寸法と等しい。
【００４２】
非カット部１３の合計の長さは、仮綴部１１の長手方向の寸法（ＰＬ）に対して、２５％以上５５％以下であり、好ましくは３０％以上５０％以下であり、更に好ましくは３５％以上４５％以下である。また、ミシン目１２と非カット部１３の１組の寸法は、３．０ｍｍ以上６．０ｍｍ以下であり、好ましくは３．５ｍｍ以上５．５ｍｍ以下であり、更に好ましくは４．０ｍｍ以上５．０ｍｍ以下である。これにより、使用者は仮綴部１１をスムーズに開封することができる。
【００４３】
以上、実施形態を用いて本発明を説明したが、本発明の技術的範囲は上記実施形態や実施例に記載の範囲には限定されないことは言うまでもない。上記実施形態に、多様な変更又は改良を加えることが可能であることが当業者に明らかである。またそのような変更又は改良を加えた形態も本発明の技術的範囲に含まれ得ることが、特許請求の範囲の記載から明らかである。
＜実施例＞
【００４４】
以下、本発明について実施例を挙げて詳細に説明する。なお、本発明は、以下に示す実施例に限定されるものではない。
【００４５】
＜実施例１から２１、比較例１から１０＞
表１から表３に示すようにフェイシャルティシュ製品の特性に関して、モニター２０人で５段階評価を行った。数値が大きいほど優れていることを示し、「３」以上の場合に合格とした。表１の評価の数字は、モニター２０名の各評価の数字の平均値を四捨五入したものである。
【００４６】
ティシュペーパーの坪量：ＪＩＳ  Ｐ  ８１２４に基づいて測定し、シート１枚当たりに換算した。
【００４７】
ティシュペーパーの紙厚：シックネスゲージ（尾崎製作所製のダイヤルシックネスゲージ「ＰＥＡＣＯＣＫ」）を用いて測定した。測定条件は、測定荷重２５０ｇｆ、測定子直径３０ｍｍで、測定子と測定台の間に試料を置き、測定子を１秒間に１ｍｍ以下の速度で下ろしたときのゲージを読み取った。なお、１回の測定は１プライのシートを１０枚重ねて行い、測定を１０回繰り返して測定結果を平均した。
【００４８】
フィルムの厚さ：ＪＩＳ  Ｚ  １７０２に基づいて測定した。
【００４９】
なお、上記の測定は、ＪＩＳ  Ｐ  ８１１１に規定する温湿度条件下（２３±１℃、５０±２％ＲＨ）で平衡状態に保持した後に行った。
【００５０】
なお、評価項目については、各モニターが各実施例及び各比較例のフェイシャルティシュ製品を１パックずつそれぞれ使い切るまで使用した際の評価である。
【００５１】
【表１】
2019141148.tif 000003
【００５２】
【表２】
2019141148.tif 000004
【００５３】
【表３】
2019141148.tif 000005
【００５４】
以上のことから、本発明によれば、フィルムパックからのティシュペーパーの取出し性が良好であり、ティシュペーパーを取出す際に、次にポップアップしてフィルムパックのスリット（取出し口）に保持されるティシュペーパーの形状が安定し、ドロップバックの発生が良好に抑制された、コンパクトで携帯性に優れるフェイシャルティシュ製品を提供することができる。
【符号の説明】
【００５５】
２ａ、２ｂ  ティシュペーパー
１０        フィルムパック
１０ａ      フィルムパックの頂面
１１        仮綴部
１２        ミシン目
１３        非カット部
１４        スリット
２０        ティシュペーパーの積層体
１００      フェイシャルティシュ製品
ＣＬ        フィルムパックの長辺の寸法
ＣＷ        フィルムパックの短辺の寸法
ＣＨ        フィルムパックの高さ
ＰＬ        仮綴部（又はスリット）の長手方向の寸法
ＬＡ        ティシュペーパーの取出し方向に展開した寸法
ＬＢ        ティシュペーパーの取出し方向に直交する方向の寸法
Ｄ          取出し方向
【図１】
2019141148.tif 000006
【図２】
2019141148.tif 000007
【図３】
2019141148.tif 000008